(57)【要約】【課題】従来のものと比べて極めて簡単に、また、熟練者でなくとも問題なく組み立てることができる組立式壁面ラックを提供する。【解決手段】本考案に係る組立式壁面ラックは、矩形状の棚板３と、棚板３を壁面Ｗ１〜Ｗ３に対して固定するための棚板固定具（固定具４ｗ（１）〜４ｗ（３））とによって構成され、棚板固定具（固定具４ｗ（１）〜４ｗ（３））が、中央の底部と、その両端からそれぞれ同方向へ直角に突出する二つの側部とによって断面形状がコの字型を呈するように構成され、側部と底部に、ネジ穴４３ａがそれぞれ形成され、棚板３は、左右の側縁３４，３４と奥側端縁３３が、棚板固定具（固定具４ｗ（１）〜４ｗ（３））の内側に挿入されて支持されることを特徴とする。【選択図】図２
0003212401.tif 000002
【実用新案登録請求の範囲】
【請求項１】
矩形状の棚板と、棚板を壁面に対して固定するための棚板固定具とによって構成され、
棚板固定具が、中央の底部と、その両端からそれぞれ同方向へ直角に突出する二つの側部とによって断面形状がコの字型を呈するように構成され、側部と底部に、ネジ穴又はガイド溝がそれぞれ形成されていることを特徴とする組立式壁面ラック。
【請求項２】
矩形状の棚板と、棚板を壁面に対して固定するための棚板固定具とによって構成され、
棚板固定具が、中央の底部と、その両端からそれぞれ同方向へ直角に突出する二つの側部と、底部が一方の側部の反対側まで延長された延長部とによって断面形状がＦ字型を呈するように構成され、側部、底部、又は、延長部に、ネジ穴又はガイド溝が形成されていることを特徴とする組立式壁面ラック。
【請求項３】
一室を構成する隣り合う三つの壁面にそれぞれ少なくとも一つずつ、いずれも水平となる向きで、かつ、同じ高さ位置に固定された棚板固定具と、これらの棚板固定具の内側に、左右の側縁と奥側端縁が挿入されて支持された棚板とによって構成されていることを特徴とする、請求項１又は請求項２に記載の組立式壁面ラック。
【請求項４】
一室を構成する隣り合う三つの壁面にそれぞれ固定された棚板固定具の内側に左右の側縁と奥側端縁が挿入されて支持された棚板の前側端縁に取り付けられた他の一の棚板固定具と、当該棚板固定具によって一方の側縁が支持された他の一の棚板とを含むことを特徴とする、請求項３に記載の組立式壁面ラック。
【請求項５】
棚板の前側端縁に装着される、断面形状がコの字型を呈する前縁カバーを含むことを特徴とする、請求項１〜４のいずれかに記載の組立式壁面ラック。
【請求項６】
矩形状の側板及び棚板と、側板を壁面等に対して固定するための側板固定具と、棚板を側板に対して固定するための棚板固定具とによって構成され、
側板固定具及び棚板固定具がいずれも、中央の底部と、その両端からそれぞれ同方向へ直角に突出する二つの側部とによって断面形状がコの字型を呈するように構成され、側部と底部に、ネジ穴又はガイド溝がそれぞれ形成されていることを特徴とする組立式壁面ラック。
【請求項７】
矩形状の側板及び棚板と、側板を壁面等に対して固定するための側板固定具と、棚板を側板に対して固定するための棚板固定具とによって構成され、
側板固定具が、中央の底部と、その両端からそれぞれ同方向へ直角に突出する二つの側部とによって断面形状がコの字型を呈するように構成され、側部と底部に、ネジ穴又はガイド溝がそれぞれ形成され
棚板固定具が、中央の底部と、その両端からそれぞれ同方向へ直角に突出する二つの側部と、底部が一方の側部の反対側まで延長された延長部とによって断面形状がＦ字型を呈するように構成され、側部、底部、又は、延長部に、ネジ穴又はガイド溝が形成されていることを特徴とする組立式壁面ラック。
【請求項８】
壁面、床面、及び、天井面にそれぞれ少なくとも一つずつ固定された側板固定具と、これらの側板固定具の内側に、上端部と下端部と奥側の長手側縁が挿入されて固定された少なくとも二枚の側板と、
壁面と側板にそれぞれ一つずつ、いずれも水平となる向きで、かつ、同じ高さ位置に固定された棚板固定具と、これらの棚板固定具の内側に、左右の側縁と奥側端縁が挿入されて支持された棚板とによって構成されていることを特徴とする、請求項６又は請求項７に記載の組立式壁面ラック。
【請求項９】
壁面、及び、床面にそれぞれ少なくとも一つずつ固定された側板固定具と、これらの側板固定具の内側に、下端部と奥側の長手側縁が挿入されて固定された少なくとも二枚の側板と、
壁面と側板にそれぞれ一つずつ、いずれも水平となる向きで、かつ、同じ高さ位置に固定された棚板固定具と、これらの棚板固定具の内側に、左右の側縁と奥側端縁が挿入されて支持された棚板とによって構成されていることを特徴とする、請求項６又は請求項７に記載の組立式壁面ラック。
【請求項１０】
側板と、側板を壁面等に対して固定するための側板固定具と、棚板と、棚板を側板に対して固定するための棚板支持具とによって構成され、
側板固定具が、中央の底部と、その両端からそれぞれ同方向へ直角に突出する二つの側部とを有し、断面形状がコの字型又はＦ字型を呈するように構成され、側部と底部に、ネジ穴又はガイド溝がそれぞれ形成され、
棚板支持具が、側板に当接させる垂直部と、垂直部から側方へ向かって延在する水平部と、水平部の先端から上方へ突出する突条部とによって構成され、
突条部には、係合用襞が形成され、
棚板の左右両端の底面には、嵌合溝がそれぞれ形成され、
間隔を置いて隣接する二枚の側板の内側の各面に、一対の棚板支持具を、各垂直部が側板に当接する向きでそれぞれ取り付けた状態において、各棚板支持具の突条部を棚板の左右両端の嵌合溝内へそれぞれ進入させることによって、棚板を支持できるように構成されていることを特徴とする組立式壁面ラック。
【考案の詳細な説明】
【技術分野】
【０００１】
本考案は、居室や書庫等の室内の壁面に沿って設置される壁面ラックに関し、特に、少ない部品点数で構成され、誰でも簡単に組み立てることができる組立式の壁面ラックに関する。
【背景技術】
【０００２】
従来、室内の壁面に沿って造り付けのラック（壁面ラック）を形成しようとする場合には、熟練した技術と知識が必要であったが、近年では、比較的容易に施工することができる組立式の壁面ラック（組立キット）等が製造され、販売されている。また、造り付けではない、家具（什器）としての本棚やラックについても、組立式のものが多種製造され、販売されている。
【０００３】
上記のような組立式ラックにおいては、容易に組み立てることができ、かつ、棚板の高さ位置を容易に変更できること等を目的として、様々な方式の棚板支持構造が採用されている。
【先行技術文献】
【特許文献】
【０００４】
【特許文献１】実用新案登録第２５４２６９６号公報
【特許文献２】実用新案登録第２５９２３０３号公報
【特許文献３】実用新案登録第３０２７９１５号公報
【特許文献４】実用新案登録第３０５６０３９号公報
【特許文献５】実公平６−３３８５９号公報
【特許文献６】特開２００８−５５０３３２号公報
【考案の概要】
【考案が解決しようとする課題】
【０００５】
従来の組立式ラックにおける棚板支持構造には、更に改良の余地がある。本考案は、従来のものと比べて極めて簡単に、また、熟練者でなくとも問題なく組み立てることができる組立式壁面ラックを提供することを目的とする。
【課題を解決するための手段】
【０００６】
本考案に係る組立式壁面ラックは、矩形状の棚板と、棚板を壁面に対して固定するための棚板固定具とによって構成され、棚板固定具が、中央の底部と、その両端からそれぞれ同方向へ直角に突出する二つの側部とによって断面形状がコの字型を呈するように構成され、側部と底部に、ネジ穴がそれぞれ形成されていることを特徴としている。
【０００７】
尚、棚板固定具は、一室を構成する隣り合う三つの壁面にそれぞれ少なくとも一つずつ、いずれも水平となる向きで、かつ、同じ高さ位置に固定され、棚板は、これらの棚板固定具の内側に、左右の側縁と奥側端縁が挿入されて支持されることが好ましい。
【０００８】
また、この組立式壁面ラックにおいては、一室を構成する隣り合う三つの壁面にそれぞれ固定された棚板固定具の内側に左右の側縁と奥側端縁が挿入されて支持された棚板の前側端縁に取り付けられた他の一の棚板固定具と、当該棚板固定具によって一方の側縁が支持された他の一の棚板とを含むように構成することもでき、更に、棚板の前側端縁に装着される、断面形状がコの字型を呈する前縁カバーを含むように構成することもできる。
【０００９】
本考案に係るもう一つの組立式壁面ラックは、矩形状の側板及び棚板と、側板を壁面等に対して固定するための側板固定具と、棚板を側板に対して固定するための棚板固定具とによって構成され、側板固定具及び棚板固定具がいずれも、中央の底部と、その両端からそれぞれ同方向へ直角に突出する二つの側部とによって断面形状がコの字型を呈するように構成され、側部と底部に、ネジ穴がそれぞれ形成されていることを特徴としている。
【００１０】
尚、側板固定具は、壁面、床面、及び、天井面にそれぞれ少なくとも一つずつ固定され、側板は、これらの側板固定具の内側に、上端部と下端部と奥側の長手側縁が挿入されて固定され、棚板固定具は、壁面と側板にそれぞれ一つずつ、いずれも水平となる向きで、かつ、同じ高さ位置に固定され、棚板は、これらの棚板固定具の内側に、左右の側縁と奥側端縁が挿入されて支持されることが好ましい。
【００１１】
本考案に係る更にもう一つの組立式壁面ラックは、側板と、側板を壁面、床面、及び、天井面に対して固定するための側板固定具と、棚板と、棚板を側板に対して固定するための棚板支持具とによって構成され、側板固定具が、中央の底部と、その両端からそれぞれ同方向へ直角に突出する二つの側部とによって断面形状がコの字型を呈するように構成され、側部と底部に、ネジ穴がそれぞれ形成され、棚板支持具が、側板に当接させる垂直部と、垂直部から側方へ向かって延在する水平部と、水平部の先端から上方へ突出する突条部とによって構成され、突条部には、係合用襞が形成され、棚板の左右両端の底面には、嵌合溝がそれぞれ形成され、間隔を置いて隣接する二枚の側板の内側の各面に、一対の棚板支持具を、各垂直部が側板に当接する向きでそれぞれ取り付けた状態において、各棚板支持具の突条部を棚板の左右両端の嵌合溝内へそれぞれ進入させることによって、棚板を支持できるように構成されていることを特徴としている。
【考案の効果】
【００１２】
本考案に係る組立式壁面ラックは、従来のものと比べて極めて簡単に、また、熟練者でなくとも問題なく組み立てることができ、熟練者であれば、極めて短い時間で、極めて効率的に組み立てることができる。また、本考案に係る組立式壁面ラックは、少ない部品点数で構成することができ、かつ、棚板や側板に対する加工も最小限に抑えることができる（特に、側板については、溝や下穴等の加工を行う必要が全く無い）ため、従来品と比べて製造コストを大幅に縮減することができる。
【図面の簡単な説明】
【００１３】
【図１】図１は、本考案の第一実施形態に係る組立式壁面ラックを構成する固定具４の断面図である。
【図２】図２は、ウォークインクローゼットを構成する三つの壁面Ｗ１〜Ｗ３に対し、固定具４ｗ（１）〜４ｗ（３）を取り付けた状態を示す図である。
【図３】図３は、壁面Ｗ１，Ｗ２に対し、固定具４ｗ（１），４ｗ（２）を取り付けた状態を示す斜視図である。
【図４】図４は、ウォークインクローゼットを構成する三つの壁面Ｗ１〜Ｗ３等に対し、固定具４ｗ（１）〜４ｗ（５）を取り付けた状態を示す図である。
【図５】図５は、本考案の第二実施形態に係る組立式壁面ラックを用いて、壁面Ｗに沿って壁面ラックを形成する方法の説明図であって、壁面Ｗ、床面Ｆ、及び、天井面Ｒに対し、固定具４（４ｗ，４ｆ，４ｒ）を取り付けた状態を示す図である。
【図６】図６は、壁面Ｗ、及び、床面Ｆに対し、固定具４（４ｗ，４ｆ）を取り付けた状態を示す斜視図である。
【図７】図７は、本考案の第三実施形態に係る組立式壁面ラックを構成する棚板支持具２の断面図である。
【図８】図８は、本考案の第三実施形態に係る組立式壁面ラックを構成する棚板３の部分底面図である。
【図９】図９は、側板６に固定された棚板支持具２に棚板３を取り付ける方法の説明図である。
【図１０】図１０は、棚板支持具２によって棚板３を支持した状態を示す拡大図である。
【図１１】図１１は、図１に示す固定具４の他の構成例（固定具４’）を示す断面図である。
【図１２】図１２は、図１に示す固定具４の他の構成例（固定具４”）を示す断面図である。
【考案を実施するための形態】
【００１４】
以下、添付図面に沿って、本考案を実施するための形態を説明する。本考案の第一実施形態に係る組立式壁面ラックは、矩形状の棚板と、棚板を壁面に対して固定するための固定具（棚板固定具）とによって構成されている。
【００１５】
図１は、固定具４の断面図である。この固定具４は、中央の底部４１と、その両端からそれぞれ同方向へ直角に（底部４１に対して直角に）突出する側部４２ａ，４２ｂとによって、断面形状がコの字型を呈するように構成されている。尚、二つの側部４２ａ，４２ｂのうち、一方の側部（図１において右側の側部４２ａ）と、底部４１には、ネジ穴４３ａ，４３ｂがそれぞれ形成されている。これらのネジ穴４３ａ，４３ｂは、長手方向へ所定の間隔（例えば１５０ｍｍの間隔）を置いて、底部４１及び側部４２ａのそれぞれに複数個ずつ形成されている。尚、ネジ穴４３ａは、反対側の側部４２ｂにも形成することができる。
【００１６】
図２は、本考案に係る組立式壁面ラックを用いて、ウォークインクローゼット（一室）の上方部（例えば、床面から１８００〜２０００ｍｍの高さ位置）に上部棚（壁面ラック）を形成する方法の説明図であって、ウォークインクローゼットを構成する隣り合う三つの壁面（左側の壁面Ｗ１、奥側の壁面Ｗ２、右側の壁面Ｗ３）に対し、それぞれ固定具４ｗ（１）〜４ｗ（３）を取り付けた状態を示す図である。
【００１７】
図２に示すように、上部棚を形成しようとする壁面Ｗ１〜Ｗ３に対し、固定具４ｗ（１）〜４ｗ（３）を、それぞれ水平となる向きで、かつ、同じ高さ位置となるように取り付ける。尚、固定具４ｗ（１）〜４ｗ（３）は、図３に示すように、底部４１を壁面Ｗ１等の取付面に当接させた状態で、底部４１のネジ穴４３ｂから壁面Ｗ１，Ｗ２等へビス５（又は釘）（図２参照）を打ち込んで固定する。
【００１８】
固定具４を壁面Ｗ１等に対して固定したら、図２に示すように、棚板３の左右の側縁３４，３４を、左右の壁面Ｗ１，Ｗ３に取り付けた固定具４ｗ（１），４ｗ（３）の内側に、手前側からそれぞれ挿入し、その状態から棚板３を奥側の壁面Ｗ２の方へスライドさせていき、棚板３の奥側端縁３３を、奥側の壁面Ｗ２に取り付けた固定具４ｗ（２）の内側へ挿入する。そして、各固定具４に形成されているネジ穴４３ａから棚板３の左右の側縁３４，３４、及び、奥側端縁３３内へビス（又は釘）を打ち込んで棚板３を固定する。
【００１９】
尚、棚板３の前側端縁３２において小口処理がされている場合には、上部棚はこの時点で完成となるが、棚板３の前側端縁３２において小口処理がされていない場合には、例えば、断面形状がコの字型を呈する前縁カバー７を棚板３の前側端縁３２に装着する。尚、前縁カバー７として、剛性の高い材料（金属或いは硬質プラスチック等）によって形成されたものを用いた場合、棚板３の前側端縁３２を補強することができ、荷重載荷時の撓みを効果的に防止することができる。
【００２０】
尚、本実施形態においては、固定具４として、側部４２ａと底部４１にネジ穴４３ａ，４３ｂがそれぞれ形成されているものが用いられているが、ビス（又は釘）を打ち込む際の位置決めを容易にするとともに、ビスの先端の位置ずれを防止できるガイド溝４４ａ，４４ｂが形成された、図１１に示すような固定具４’を、図１の固定具４の代わりに用いることもできる。
【００２１】
更に、図１２に示すように、底部４１が、一方の側部４２ａの反対側（延長方向側）まで延長された（即ち、延長部４５が形成された）、断面形状がＦ字型を呈する固定具４”を、図１の固定具４の代わりに用いることもできる。この場合、延長部４５においても、ガイド溝４４ｃ（又は図１に示すようなネジ穴４３ｂ）が形成されていることが好ましい。
【００２２】
尚、この固定具４”は、例えば、棚板３の左右の側縁３４，３４（図２参照）に予め装着しておき、棚板３の配置後に、延長部４５のガイド溝４４ｃから左右の壁面Ｗ１，Ｗ３（図２参照）内へビスを打ち込んで、棚板３を固定するという施工方法を実施することができる。
【００２３】
また、図４に示すように、上部棚８Ａ（図２に示す方法によって形成した上部棚）に隣接して、全体形状がＬ字型となるように、上部棚８Ｂを形成することもできる。この場合、左側の壁面Ｗ１に沿って、固定具４ｗ（１）の延長方向側に固定具４ｗ（４）を取り付けるとともに、上部棚８Ａの前側端縁に取り付けた前縁カバー７（又は、図２に示す棚板３の前側端縁３２）に対し、固定具４ｗ（５）を、背中合わせとなるように取り付け（固定具４ｗ（５）側から上部棚８Ａの棚板３Ａ内にビスを打ち込み）、更に、もう一つの固定具（図示せず）を、壁面Ｗ２と対向する壁面（図示せず）等に取り付けて、図２に示した方法と同様の要領で棚板３Ｂ（及び前縁カバー７Ｂ）を取り付ければよい。
【００２４】
尚、上部棚８Ａに取り付けた固定具４ｗ（５）の下側には、必要に応じて棚受け具（例えば、Ｌ型の棚受け具等）を配置（壁面Ｗ１に固定）することができるほか、上端を天井或いは壁面Ｗ１に固定した吊り具の下端を固定具４ｗ（５）に固定して、上部棚８Ａと上部棚８Ｂとの接合部を上方から吊支することもできる。更に、同様の要領で、壁面Ｗ３にも上部棚を取り付けて、全体形状がコの字型となるように、上部棚を形成することもできる。
【００２５】
本考案の第二実施形態に係る組立式壁面ラックは、矩形状の側板及び棚板と、側板を壁面等に対して固定するための固定具（側板固定具）と、棚板を側板に対して固定するための固定具（棚板固定具）とによって構成されている。尚、本実施形態においても、図１に示す固定具４（又は、図１１に示す固定具４’、或いは、図１２に示す固定具４”）が、側板及び棚板の固定のために用いられる。
【００２６】
図５は、本考案に係る組立式壁面ラックを用いて、壁面Ｗに沿って壁面ラックを形成する方法の説明図であって、壁面Ｗ、床面Ｆ、及び、天井面Ｒに対し、固定具４（４ｗ，４ｆ，４ｒ）を取り付けた状態を示す図である。この図に示すように、まず、側板６を固定すべき壁面Ｗ、床面Ｆ、及び、天井面Ｒに対し、固定具４（４ｗ，４ｆ，４ｒ）をそれぞれ取り付ける。尚、固定具４は、図６に示すように、底部４１を壁面Ｗ等の取付面に当接させた状態で、底部４１のネジ穴４３ｂから壁面Ｗ内、床面Ｆ内、及び、天井面Ｒ内へビス５（又は釘）（図５参照）を打ち込んで固定する。
【００２７】
固定具４を壁面Ｗ等に対して固定したら、図５に示すように、側板６の上端部６１ａ及び下端部６１ｂを、天井面Ｒに取り付けた固定具４ｒと、床面Ｆに取り付けた固定具４ｆの内側（図１に示す側部４２ａ，４２ｂの間のスペース）に、手前側（壁面Ｗとは反対の側）からそれぞれ挿入し、その状態から側板６を壁面Ｗ側へスライドさせていき、側板６の奥側の長手側縁６２を、壁面Ｗに取り付けた固定具４ｗの内側へ挿入する。そして、各固定具４の側部に形成されているネジ穴４３ａから側板６の上端部６１ａ、下端部６１ｂ、及び、奥側の長手側縁６２内へビス（又は釘）を打ち込んで側板６を固定する。尚、側板６は、棚板の幅寸法等に応じた間隔（例えば、４５０ｍｍ、６００ｍｍ、９００ｍｍ等）を置いて複数枚設置する。
【００２８】
次に、図５に示す壁面Ｗ、及び、側板６に対し、図１に示す固定具４を、図２に示す例と同様に、それぞれ水平となる向きで、かつ、同じ高さ位置となるように取り付ける。そして、棚板３の左右の側縁３４，３４（図２参照）を、左右の側板６（図５参照）に取り付けた固定具の内側に、手前側からそれぞれ挿入し、その状態から棚板を奥側の壁面Ｗ（図５参照）の方へスライドさせていき、棚板３の奥側端縁３３（図２参照）を、奥側の壁面Ｗに取り付けた固定具の内側へ挿入する。そして、各固定具４に形成されているネジ穴４３ａ（図１参照）から棚板３の左右の側縁３４，３４、及び、奥側端縁３３（図２参照）内へビス（又は釘）を打ち込んで棚板３を固定する。
【００２９】
尚、棚板３の左右の側縁３４，３４（図２参照）に、図１２に示す固定具４”を予め装着しておき、左右の側板６（図５参照）の間に棚板３を配置した後、延長部４５のガイド溝４４ｃから左右の側板６内へビスを打ち込んで、棚板３を固定することもできる。
【００３０】
このような棚板３の固定作業を、上下方向へ複数回行うことにより、複数枚の棚板３が上下に多段式に支持された壁面ラックを、壁面Ｗ（図５参照）に沿って簡単に組み立てることができる。
【００３１】
尚、上記第二実施形態においては、棚板３を固定するための要素として、図１に示す固定具４が用いられているが、この固定具４の代わりに、図７に示すような棚板支持具２を用いることもできる（本考案の第三実施形態）。
【００３２】
この棚板支持具２は、断面形状が長手方向について均一であり、側板に当接させる垂直部２１と、垂直部２１の下端から側方へ水平に延在する水平部２２と、水平部２２の先端から上方へ突出する突条部２３とによって構成されている。尚、図示されているように、垂直部２１には、ビス（又は釘）を打ち込むべき高さ位置の目安となるガイド溝２４が、長手方向に沿って形成されている。また、突条部２３の左右両側には、係合用襞２５がそれぞれ二条ずつ（合計四条）形成されており、突条部２３の上端部は、先細り形状となっている。
【００３３】
尚、この棚板支持具２を用いる場合、図８に示すような嵌合溝３１が底面の左端（及び、図示しない右端）に形成されている棚板３を用いる。この嵌合溝３１は、棚板３の前側端縁３２には達しておらず、前側端縁３２から１０ｍｍほど奥側寄りの位置から奥側端縁３３までの間で形成されており、棚板３の前方からは視認できないようになっている。
【００３４】
棚板支持具２は、図９に示すように、隣接する二枚の側板６，６の内側の各面（相互に対向する面）に、それぞれ同じ高さ位置に、水平に取り付ける。尚、棚板支持具２は、垂直部２１を側板６に当接させた状態で、ガイド溝２４の位置で垂直部２１側から側板６内へビス５（又は釘）を打ち込んで固定する。
【００３５】
そして、棚板３の左端部及び右端部を、それぞれ対応する棚板支持具２，２の上に載置し、この状態から棚板３を押し下げる。そうすると、図１０に示すように、棚板支持具２の突条部２３が棚板３の嵌合溝３１内へ進入した状態となり、二つの側板６，６（図９参照）の間において、棚板３が安定的に支持された状態となる。
【００３６】
本実施形態においては、棚板３の嵌合溝３１の幅寸法と、係合用襞２５を含む突条部２３の幅寸法がほぼ一致しており（但し、嵌合溝３１の幅寸法の方が、係合用襞２５を含む突条部２３の幅寸法よりも僅かに小さい）、また、突条部２３の上端部が先細り形状となっているほか、係合用襞２５が下向き傾斜となっている。更に、棚板支持具２の突条部２３（係合用襞２５を含む）は、プラスチックによって形成されており、ある程度の可撓性を有している。
【００３７】
このため、棚板支持具２の上に載置した状態の棚板３を押し下げることにより、図１０に示すように、棚板支持具２の突条部２３を棚板３の嵌合溝３１内へ無理なく進入させることができ、また、幅寸法が僅かに小さい嵌合溝３１の中に突条部２３を進入させた場合、突条部２３の係合用襞２５が弾性変形して嵌合溝３１の内壁と係合し、棚板３が棚板支持具２から容易には脱落しない状態とすることができる。
【００３８】
また、本実施形態においては、棚板３の端縁から嵌合溝３１までの寸法と、棚板支持具２における垂直部２１から突条部２３までの寸法がほぼ一致しているため、図１０に示すように、棚板３の端縁が棚板支持具２の垂直部２１に当接した状態とすることができ、このためビス５のヘッド部分を棚板３の端縁によって覆い隠すことができ、かつ、ビス５の緩みを防止することができる。
【００３９】
尚、本実施形態においては、棚板支持具２の突条部２３の四つの係合用襞２５のうち、一つの係合用襞２５（図７において左下側の係合用襞２５）の突出寸法が、他の三つの係合用襞２５よりも僅かに大きく設定されており、この係合用襞２５のみが、嵌合溝３１内において弾性的に変形するようになっているが、他の三つの係合用襞２５のうちのいずれかについても（或いは、すべてを）、嵌合溝３１内において弾性的に変形するような寸法に設定してもよい。
【００４０】
また、上記方法においては、図５に示したように、壁面Ｗ及び床面Ｆのほかに、天井面Ｒにも固定具４（４ｒ）を取り付けて、側板６を三辺において固定しているが、例えば、天井面Ｒまで届かない寸法の側板６を用いるときは、壁面Ｗ及び床面Ｆのみに固定具４（４ｗ，４ｆ）を取り付けて、側板６を二辺において固定するようにしてもよい。
【００４１】
更に、本実施形態においては、図８に示すように、水平部２２が垂直部２１の下端から側方へ水平に延在する棚板支持具２が用いられているが、垂直部の上端或いは中間部から水平部が側方へ水平に延在する棚板支持具を用いることもできる。
【符号の説明】
【００４２】
２：棚板支持具、
３：棚板、
４，４ｆ，４ｒ，４ｗ：固定具、
５：ビス、
６：側板、
７：前縁カバー、
８：上部棚、
２１：垂直部、
２２：水平部、
２３：突条部、
２４：ガイド溝、
２５：係合用襞、
３１：嵌合溝、
３２：前側端縁、
３３：奥側端縁、
３４：側縁、
４１：底部、
４２ａ，４２ｂ：側部、
４３ａ，４３ｂ：ネジ穴、
４４ａ〜４４ｃ：ガイド溝、
４５：延長部、
６１ａ：上端部、
６１ｂ：下端部、
６２：長手側縁、
Ｆ：床面、
Ｒ：天井面、
Ｗ，Ｗ１〜Ｗ３：壁面
【図１】
0003212401.tif 000003
【図２】
0003212401.tif 000004
【図３】
0003212401.tif 000005
【図４】
0003212401.tif 000006
【図５】
0003212401.tif 000007
【図６】
0003212401.tif 000008
【図７】
0003212401.tif 000009
【図８】
0003212401.tif 000010
【図９】
0003212401.tif 000011
【図１０】
0003212401.tif 000012
【図１１】
0003212401.tif 000013
【図１２】
0003212401.tif 000014